【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
文書データ等の印刷データを生成する端末装置、および該端末装置からの前記印刷データを可視画像として用紙等の印刷媒体への印刷を行う複数台の各画像形成装置がネットワーク等の通信回線を介して接続され、前記端末装置からの前記印刷データを前記各画像形成装置へ選択的に送信して前記印刷を行わせる管理装置であって、
前記端末装置から前記印刷データおよび所要条件を含む印刷依頼を受けた場合に、該所要条件および前記各画像形成装置のプロパティに基づいて該各画像形成装置のいずれかを前記印刷に使用する機器として選択する機器選択手段を設けたことを特徴とする管理装置。
【請求項２】
請求項１記載の管理装置において、
前記機器選択手段は、前記所要条件が印刷条件の場合に、該印刷条件および前記各画像形成装置のプロパティに基づいて該各画像形成装置で前記印刷データの印刷によって消費される該各画像形成装置別の消費電力量をそれぞれ計算する消費電力量計算手段を有し、該手段による各計算結果に基づいて該各画像形成装置のいずれかを前記印刷に使用する機器として選択することを特徴とする管理装置。
【請求項３】
請求項１記載の管理装置において、
前記機器選択手段は、前記所要条件が印刷条件と機器選択条件とからなる場合に、前記印刷条件および前記各画像形成装置のプロパティに基づいて該各画像形成装置別の各消費電力量をそれぞれ計算する消費電力量計算手段を有し、該手段による各計算結果および前記機器選択条件に基づいて該各画像形成装置のいずれかを前記印刷に使用する機器として選択することを特徴とする管理装置。
【請求項４】
請求項３記載の管理装置において、
前記機器選択手段は、前記機器選択条件が印刷スピードよりも省エネルギーを優先するものであった場合に、前記各計算結果から最も消費電力量の少ない画像形成装置を前記印刷に使用する機器として選択することを特徴とする管理装置。
【請求項５】
請求項１記載の管理装置において、
前記機器選択手段は、前記所要条件が印刷条件の場合に、該印刷条件および前記各画像形成装置のプロパティに基づいて該各画像形成装置別の各消費電力量をそれぞれ計算する消費電力量計算手段と、該手段による前記各画像形成装置別の計算結果を前記端末装置へ通知する計算結果通知手段とを有し、該手段による通知後、前記端末装置からの要求に応じて前記各画像形成装置のいずれかを前記印刷に使用する機器として選択することを特徴とする管理装置。
【請求項６】
請求項２乃至５のいずれか一項に記載の管理装置において、
前記各画像形成装置からそれぞれ該画像形成装置のプロパティを取得するプロパティ取得手段を設けたことを特徴とする管理装置。
【請求項７】
請求項２乃至５のいずれか一項に記載の管理装置において、
前記各画像形成装置のプロパティを登録するプロパティ登録手段を設けたことを特徴とする管理装置。
【請求項８】
請求項７記載の管理装置において、
前記プロパティ登録手段は、前記各画像形成装置からそれぞれ通知されてくる該各画像形成装置のプロパティを登録することを特徴とする管理装置。
【請求項９】
請求項７記載の管理装置において、
前記プロパティ登録手段は、外部から入力される前記各画像形成装置別のプロパティを登録することを特徴とする管理装置。
【請求項１０】
請求項２乃至９のいずれか一項に記載の管理装置において、
前記各画像形成装置別の消費電力量を計算するための該各画像形成装置別の計算プログラムをそれぞれ記憶する計算プログラム記憶手段を設け、
前記消費電力量計算手段は、前記各画像形成装置別の計算プログラムに従って前記各画像形成装置別の消費電力量を計算することを特徴とする管理装置。
【請求項１１】
請求項１０記載の管理装置において、
前記端末装置から前記各画像形成装置別の前記計算プログラムを取得する計算プログラム取得手段を設けたことを特徴とする管理装置。
【請求項１２】
請求項１０記載の管理装置において、
前記各画像形成装置からそれぞれ前記計算プログラムを取得する計算プログラム取得手段を設けたことを特徴とする管理装置。
【請求項１３】
請求項６記載の管理装置と前記端末装置と前記各画像形成装置とを前記通信回線を介して接続可能な画像形成システムにおいて、
前記管理装置のプロパティ取得手段は、前記端末装置から前記印刷依頼を受けた場合に、前記各画像形成装置に対して該各画像形成装置のプロパティを要求する手段を有し、
前記各画像形成装置はそれぞれ、前記管理装置から前記プロパティの要求を受けた場合に、自己のプロパティを前記管理装置へ通知するプロパティ通知手段を設けたことを特徴とする画像形成システム。
【請求項１４】
請求項８記載の管理装置と前記端末装置と前記各画像形成装置とを前記通信回線を介して接続可能な画像形成システムにおいて、
前記各画像形成装置はそれぞれ、所定のタイミングで自己のプロパティを前記管理装置へ通知するプロパティ通知手段を設けたことを特徴とする画像形成システム。
【請求項１５】
請求項１４記載の画像形成システムにおいて、
前記各画像形成装置のプロパティ通知手段はそれぞれ、当該画像形成装置の起動時に該画像形成装置のプロパティを前記管理装置へ通知することを特徴とする画像形成システム。
【請求項１６】
請求項１２記載の管理装置と前記端末装置と前記各画像形成装置とを前記通信回線を介して接続可能な画像形成システムにおいて、
前記管理装置の計算プログラム取得手段は、前記端末装置から前記印刷依頼を受けた場合に、前記各画像形成装置に対して前記計算プログラムを要求する手段を有し、
前記各画像形成装置はそれぞれ、前記管理装置から前記計算プログラムの要求を受けた場合に、対応する前記計算プログラムを前記管理装置へ通知する計算プログラム通知手段を設けたことを特徴とする画像形成システム。
【請求項１７】
請求項１３乃至１６のいずれか一項に記載の画像形成システムにおいて、
前記管理装置に、前記消費電力量計算手段による各画像形成装置別の計算の開始前に、その計算対象の画像形成装置に対してモード移行の抑止を指示するモード移行抑止指示手段と、前記消費電力量計算手段による各画像形成装置別の計算の終了後、その計算対象の画像形成装置に対してモード移行の抑止解除を指示するモード移行抑止解除手段とを設け、
前記各画像形成装置にそれぞれ、前記管理装置から前記モード移行の抑止が指示されてから該抑止の解除が指示されるまで、自己のモードの移行を抑止するモード移行抑止手段を設けたことを特徴とする画像形成システム。
【請求項１８】
文書データ等の印刷データを生成する端末装置、および該端末装置からの前記印刷データを可視画像として用紙等の印刷媒体への印刷を行う複数台の各画像形成装置がネットワーク等の通信回線を介して接続され、前記端末装置からの前記印刷データを前記各画像形成装置へ選択的に送信して前記印刷を行わせる管理装置における制御方法であって、
前記端末装置から前記印刷データおよび所要条件を含む印刷依頼を受けた場合に、該所要条件および前記各画像形成装置のプロパティに基づいて該各画像形成装置のいずれかを前記印刷に使用する機器として選択することを特徴とする制御方法。
【請求項１９】
請求項１８記載の管理装置における制御方法において、
前記所要条件が印刷条件の場合に、該印刷条件および前記各画像形成装置のプロパティに基づいて該各画像形成装置で前記印刷データの印刷によって消費される該各画像形成装置別の消費電力量をそれぞれ計算し、その各計算結果に基づいて該各画像形成装置のいずれかを前記印刷に使用する機器として選択することを特徴とする制御方法。
【請求項２０】
請求項１８記載の管理装置における制御方法において、
前記所要条件が印刷条件と機器選択条件とからなる場合に、前記印刷条件および前記各画像形成装置のプロパティに基づいて該各画像形成装置別の各消費電力量をそれぞれ計算し、その各計算結果および前記機器選択条件に基づいて該各画像形成装置のいずれかを前記印刷に使用する機器として選択することを特徴とする制御方法。
【請求項２１】
請求項２０記載の管理装置における制御方法において、
前記機器選択条件が印刷スピードよりも省エネルギーを優先するものであった場合に、前記各計算結果から最も消費電力量の少ない画像形成装置を前記印刷に使用する機器として選択することを特徴とする制御方法。
【請求項２２】
請求項１８記載の管理装置における制御方法において、
前記所要条件が印刷条件の場合に、該印刷条件および前記各画像形成装置のプロパティに基づいて該各画像形成装置別の各消費電力量をそれぞれ計算し、その各画像形成装置別の計算結果を前記端末装置へ通知した後、前記端末装置からの要求に応じて前記各画像形成装置のいずれかを前記印刷に使用する機器として選択することを特徴とする制御方法。
【請求項２３】
請求項１９乃至２２のいずれか一項に記載の管理装置における制御方法において、
前記各画像形成装置からそれぞれ該画像形成装置のプロパティを取得することを特徴とする制御方法。
【請求項２４】
請求項１９乃至２２のいずれか一項に記載の管理装置における制御方法において、
前記各画像形成装置のプロパティを登録することを特徴とする制御方法。
【請求項２５】
請求項２４記載の管理装置における制御方法において、
前記各画像形成装置からそれぞれ通知されてくる該各画像形成装置のプロパティを登録することを特徴とする制御方法。
【請求項２６】
請求項２４記載の管理装置における制御方法において、
外部から入力される前記各画像形成装置別のプロパティを登録することを特徴とする制御方法。
【請求項２７】
請求項１９乃至２６のいずれか一項に記載の管理装置における制御方法において、
予め前記各画像形成装置別の消費電力量を計算するための該各画像形成装置別の計算プログラムをそれぞれ記憶しておき、その各画像形成装置別の計算プログラムに従って前記各画像形成装置別の消費電力量を計算することを特徴とする制御方法。
【請求項２８】
請求項２７記載の管理装置における制御方法において、
前記端末装置から前記各画像形成装置別の前記計算プログラムを取得することを特徴とする制御方法。
【請求項２９】
請求項２７記載の管理装置における制御方法において、
前記各画像形成装置からそれぞれ前記計算プログラムを取得することを特徴とする制御方法。
【請求項３０】
文書データ等の印刷データを生成する端末装置、および該端末装置からの前記印刷データを可視画像として用紙等の印刷媒体への印刷を行う複数台の各画像形成装置がネットワーク等の通信回線を介して接続され、前記端末装置からの前記印刷データを前記各画像形成装置へ選択的に送信して前記印刷を行わせる管理装置のコンピュータに、
前記端末装置から前記印刷データおよび所要条件を含む印刷依頼を受けた場合に、該所要条件および前記各画像形成装置のプロパティに基づいて該各画像形成装置のいずれかを前記印刷に使用する機器として選択する機器選択機能を実現させるためのプログラム。
【請求項３１】
請求項３０記載のプログラムを記録したコンピュータ読み取り可能な記録媒体。
【手続補正２】
【補正対象書類名】明細書
【補正対象項目名】００２９
【補正方法】削除
【補正の内容】
【手続補正３】
【補正対象書類名】明細書
【補正対象項目名】００３０
【補正方法】削除
【補正の内容】
【手続補正４】
【補正対象書類名】明細書
【補正対象項目名】００３１
【補正方法】削除
【補正の内容】
【手続補正５】
【補正対象書類名】明細書
【補正対象項目名】００３２
【補正方法】削除
【補正の内容】
【手続補正６】
【補正対象書類名】明細書
【補正対象項目名】００３３
【補正方法】削除
【補正の内容】
【手続補正７】
【補正対象書類名】明細書
【補正対象項目名】００３４
【補正方法】削除
【補正の内容】
【手続補正８】
【補正対象書類名】明細書
【補正対象項目名】００３５
【補正方法】削除
【補正の内容】
【手続補正９】
【補正対象書類名】明細書
【補正対象項目名】００３６
【補正方法】変更
【補正の内容】
【００３６】
請求項３１の発明による記録媒体は、請求項３０のプログラムを記録したコンピュータ読み取り可能な記録媒体である。